(57)【特許請求の範囲】
【請求項１】
基台と、該基台の上部に首振り可能に設けられるサーキュレーター本体とが中心軸を通して連結されたサーキュレーターにおいて、
前記基台に設けられた座台部に軸受部材を挿入し、該軸受部材に前記中心軸を旋回可能に挿入するとともに、
前記中心軸の下端部に設けた係止片と前記座台部下端部の間に第１のワッシャーを介装させ、
前記中心軸の上端部を、前記サーキュレーター本体の底部に設けられた固定板に締め付け固定することにより前記基台と前記サーキュレーター本体を連結したことを特徴とするサーキュレーター。
【請求項２】
前記第１のワッシャーは、金属製の平ワッシャーと合成樹脂製の平ワッシャーで構成されていることを特徴とする請求項１に記載のサーキュレーター。
【請求項３】
前記軸受部材の上端部に形成されたフランジ部と、前記中心軸の上端部に形成されたフランジ部との間に第２のワッシャーを介在させたことを特徴とする請求項１又は請求項２に記載のサーキュレーター。
【請求項４】
前記第２のワッシャーは合成樹脂製の平ワッシャーであることを特徴とする請求項３に記載のサーキュレーター。
【請求項５】
前記サーキュレーター本体に、前記中心軸を中心にして該サーキュレーター本体を左右方向に旋回させる首振り機構を設けたことを特徴とする請求項１から請求項４のいずれかに記載のサーキュレーター。
【請求項６】
前記首振り機構は、首振りモーターの出力軸に固定された偏心カムと、前記基台に固定された固定軸と、これら偏心カムと固定軸を連結する連結リンクを備えており、該連結リンクの一端部が前記偏心カムに枢着され、他端部が前記固定軸に枢着されていることを特徴とする請求項５に記載のサーキュレーター。
【請求項７】
前記固定軸は、前記基台に形成された軸挿入孔に挿入されており、
前記固定軸の軸部に前記連結リンク端部を枢着するスリーブ部材を嵌挿し、
前記固定軸の下端部に螺合された締め付けナットと、前記スリーブ部材の下端部の間に第３のワッシャーを介在させた状態で、
前記締め付けナットにより前記固定軸を前記基台に締め付け固定したことを特徴とする請求項６に記載のサーキュレーター。
【請求項８】
前記第３のワッシャーは、スプリングワッシャーと金属製の平ワッシャーで構成されていることを特徴とする請求項７に記載のサーキュレーター。
【請求項９】
前記スリーブ部材と前記連結リンクの上下方向の隙間に第４のワッシャーを介在させたことを特徴とする請求項７又は請求項８に記載のサーキュレーター。
【請求項１０】
前記第４のワッシャーは、合成樹脂製の平ワッシャーであることを特徴とする請求項９に記載のサーキュレーター。
【発明の詳細な説明】
【技術分野】
【０００１】
本発明は、主として室内の空気を撹拌することにより冷暖房効果を高めるためのサーキュレーターに関するものである。
【背景技術】
【０００２】
冷暖房機の使用時に室内の空気を撹拌し、室温を均一にして冷暖房効果を高めるためのサーキュレーターが広く知られている。一般にサーキュレーターは、羽根と電動機を装着したケース本体を、基台の脚部に俯角調整可能に設けた比較的簡単な構成となっており、床や卓上に置いて使用することが多い（特許文献１、２）。しかしながら、特許文献１,２に記載されたサーキュレーターは、上下方向に俯角調整可能となっているが、左右方向に旋回（首振り）できないため、十分な室内の空気撹拌効果が期待できないという問題がある。
【０００３】
一方、サーキュレーターには羽根と電動部を収納したケース本体の首振り機構を設けたものも提案されている（特許文献３）。この首振り機構は、外枠体の上部にケース本体を枢着し、その枢着軸と首振りモーターの出力軸をカムとリンクで連結した構成となっている。しかし、枢着軸は単に外枠体に旋回可能に挿入し、リンクとカムの連結部分はネジで止着しているだけであり、首振りを長時間続けていると、枢着軸と外枠体の接触部分の摩耗、ネジの緩み等により旋回ストロークに誤差が生じ、これらに起因して首振りの際に異音が発生したり、スムースな首振りを阻害する原因となる。
なお、市販の扇風機には首振り機構が設けられているが、扇風機は人体の風冷を目的として風量の大きな羽根と強力なモーターを使用し、これら羽根とモーターを含むヘッド部を支柱部に旋回可能に搭載しており、サーキュレーターとは基本的構成が相違しているため、その首振り機構を単純にサーキュレーターに適用することはできない。
【先行技術文献】
【特許文献】
【０００４】
【特許文献１】実用新案登録第３１０４９００号公報
【特許文献２】実用新案登録第３１６７６１３号公報
【特許文献３】特開昭６１−９２７９３号公報
【発明の概要】
【発明が解決しようとする課題】
【０００５】
本発明は、上述したような課題を解決するために提案されたものであり、基台と、羽根を装着したケース本体を首振り可能に連結したサーキュレーターにおいて、その連結部を強固に連結する構成とし、首振りを長時間続けても連結部の摩耗や緩みが発生せず、これに伴う異音の発生を防止することによってスムースで静寂な首振りを実現できるサーキュレーターを提供することを目的とする。
【課題を解決するための手段】
【０００６】
上記課題を解決するため、請求項１に記載の発明にあっては、基台と、該基台の上部に首振り可能に設けられるサーキュレーター本体とが中心軸を通して連結されたサーキュレーターにおいて、
前記基台に設けられた座台部に軸受部材を挿入し、該軸受部材に前記中心軸を旋回可能に挿入するとともに、
前記中心軸の下端部に設けた係止片と前記座台部下端部の間に第１のワッシャーを介装させ、
前記中心軸の上端部を、前記サーキュレーター本体の底部に設けられた固定板に締め付け固定することにより前記基台と前記サーキュレーター本体を連結したことを特徴とする。
【０００７】
また請求項２に記載の発明にあっては、前記第１のワッシャーは、金属製の平ワッシャーと合成樹脂製の平ワッシャーで構成されていることを特徴とする。
【０００８】
また請求項３に記載の発明にあっては、前記軸受部材の上端部に形成されたフランジ部と、前記中心軸の上端部に形成されたフランジ部との間に第２のワッシャーを介在させたことを特徴とする。
【０００９】
また請求項４に記載の発明にあっては、前記第２のワッシャーは合成樹脂製の平ワッシャーであることを特徴とする。
【００１０】
また請求項５に記載の発明にあっては、前記サーキュレーター本体に、前記中心軸を中心にして該サーキュレーター本体を左右方向に旋回させる首振り機構を設けたことを特徴とする。
【００１１】
また請求項６に記載の発明にあっては、前記首振り機構は、首振りモーターの出力軸に固定された偏心カムと、前記基台に固定された固定軸と、これら偏心カムと固定軸を連結する連結リンクを備えており、該連結リンクの一端部が前記偏心カムに枢着され、他端部が前記固定軸に枢着されていることを特徴とする。
【００１２】
また請求項７に記載の発明にあっては、前記固定軸は、前記基台に形成された軸挿入孔に挿入されており、
前記固定軸の軸部に前記連結リンク端部を枢着するスリーブ部材を嵌挿し、
前記固定軸の下端部に螺合された締め付けナットと、前記スリーブ部材の下端部の間に第３のワッシャーを介在させた状態で、
前記締め付けナットにより前記固定軸を前記基台に締め付け固定したことを特徴とする。
【００１３】
また請求項８に記載の発明にあっては、前記第３のワッシャーは、スプリングワッシャーと金属製の平ワッシャーで構成されていることを特徴とする。
【００１４】
また請求項９に記載の発明にあっては、前記スリーブ部材と前記連結リンクの上下方向の隙間に第４のワッシャーを介在させたことを特徴とする。
【００１５】
また請求項１０に記載の発明にあっては、前記第４のワッシャーは、合成樹脂製の平ワッシャーであることを特徴とする。
【発明の効果】
【００１６】
本発明によれば、基台と、羽根を装着したケース本体を首振り可能に連結したサーキュレーターにおいて、その連結部を強固に連結することができ、首振りを長時間続けても連結部の摩耗や緩みが発生せず、これに伴う異音の発生を防止することによってスムースで静寂な首振りを実現できる。
【図面の簡単な説明】
【００１７】
【図１】本発明の実施形態を示すサーキュレーターの全体正面図
【図２】同サーキュレーターを底面方向から見た斜視図
【図３】同サーキュレーターの基台を取り外した状態の底面方向から見た斜視図
【図４】同サーキュレーターの中心軸付近の拡大断面図
【図５】同サーキュレーターの半断面斜視図
【図６】同サーキュレーターにおける偏心カムの斜視図
【図７】本発明の他の実施形態を示すサーキュレーターの底面方向から見た斜視図
【図８】同サーキュレーターの基台を取り外した状態の底面方向から見た斜視図
【図９】同サーキュレーターの縦断面図
【図１０】同サーキュレーターの中心軸付近の拡大断面図
【図１１】同サーキュレーターの基台を取り外した状態の底面図
【発明を実施するための形態】
【００１８】
以下、本発明の実施形態を添付図面に基づいて説明するが、本発明はこれら実施形態に限定されるものではない。図１乃至図６に示す実施形態のサーキュレーター１００は、サーキュレーター本体１と、該サーキュレーター本体１を左右方向（水平方向）に所定角度で旋回可能（首振り可能）に搭載する基台２から構成されている。サーキュレーター本体１は、羽根１１と羽根回転モーターを装着したケース体１０と、このケース体１０を上下方向に俯角調整可能に支持する支持体２０を備えている。なお、図２、図３において１５は電源コードを示している。
【００１９】
ケース体１０は、ポリプロピレン等の合成樹脂材料から外形が略太鼓形に形成されており、ケース体１０の前部開口部には前面パネル１２が装着され、後部開口部には後面パネルが装着されている。前面御パネル１２は旋風を発生させるために螺旋状のリブ１２ａが形成されており、後面パネルには吸い込み抵抗が少なくなるようなリブが形成されている。なお、前面パネル１２は、耐衝撃性の高い合成樹脂材で形成されている。
【００２０】
支持体２０は、図３に示すように底部２０ａが楕円体となっており、その底部２０ａの上面側の左右両側部にはケース体支持脚２０ｂ，２０ｂが底部２０ａと一体に立設されている。このケース体支持脚２０ｂ,２０ｂには、前述したケース体１０の左右両側部が俯仰可能となるように枢支されており、詳示しないが、ここでは俯角調整部２３において段階的に俯角を変更できるようになっている。なお、底部２０ａの上面中央部には、電源スイッチ、首振りスイッチ、風量変更スイッチ等の各種スイッチボタン２４が並設されている。
【００２１】
支持体２０の底部２０ａは図３に示すように内部が空洞になっており、その空洞内部に首振り機構３０が収納されている。首振り機構３０は、固定板３１と、固定板３１の裏面部に固定された首振りモーター（図示せず）と、該首振りモーターの出力軸３２に固定された偏心カム３３と、後述するように基台２に固定された固定軸３６と、一端部が偏心カム３３に枢着され、他端部が固定軸３６に枢着された弓形の連結リンク３４と、を備えている。
【００２２】
また、固定板３１における支持体２０（サーキュレーター本体１）の旋回軸上には、図４及び図５に示すように、中心軸３５が固定ネジ６０により固定されている。固定板３１は、底部２０ａの内部に形成された支持枠体３７に固定され（図３参照）、中心軸３５は後述するように基台２の軸受部材５２に旋回可能に挿入されている。なお、前記首振りモーター（出力軸３２に固定された偏心カム３３を含む）と固定軸３６は、それぞれ中心軸３５から離れた位置に設けられている。
【００２３】
前記基台２は、図２に示すように、ケース体底部２０ａに対応した形状の楕円筒体であり、内部に補強リブ５０が格子状に形成されている。また、図４及び図５に詳示するように、基台２の上面部２ａにおける前記支持体２０（サーキュレーター本体１）の旋回軸上には、円環状の座台部５３が形成されており、この座台部５３に開孔された軸挿入孔５３ａには上端部にフランジ部５２ａが形成された円筒状の軸受部材５２が挿入されている。軸受部材５２は、ここでは合成樹脂製である。
【００２４】
この軸受部材５２には前記中心軸３５の軸部が挿入されている。中心軸３５の下端外周部には切欠溝３５ｂが形成されており、その切欠溝３５ｂに係止片となるＥリング５６が圧入されている。また、Ｅリング５６と座台部５３の下端部の間には金属製の平ワッシャー５７と合成樹脂製の平ワッシャー５８が介装されており（ワッシャー５７,５８を第１のワッシャーとする）、中心軸３５の上面フランジ部３５ｃと軸受部材５２の上面フランジ部５２ａとの間には合成樹脂製の平ワッシャー５９（第２のワッシャー）が介装されている。
【００２５】
これらＥリング５６と各ワッシャー５７,５８,５９を介在させることにより、固定ネジ６０で中心軸３５を固定板３１に締め付けると、中心軸３５により支持体２０（サーキュレーター本体１）と基台２が強固に連結されるとともに、中心軸３５の軸受部材５２は基台２の座台部５３に強固に締め付け固定される。また、中心軸３５を軸受部材５２を介して軸挿入孔５３ａに挿入しているので軸挿入孔５３ａとのクリアランスが無くなり、中心軸３５の旋回による挿入孔５３ａの摩耗やそれに起因する異音の発生を防止することができ、中心軸３５を中心とした支持体２０（サーキュレーター本体１）の旋回もスムースとなる。
【００２６】
前記固定軸３６は、基台２の前記中心軸３５の近くに固定されている。固定軸３６は基台上面部２ａ（図５参照）の座台部５３の近くに形成された軸挿入孔２ｂに挿入され、固定軸頭部３６ａが軸挿入孔２ｂに係止されている。固定軸３６の軸部には合成樹脂製の凸形状のスリーブ部材４０が挿入されており、図４に詳示するように、そのスリーブ部材４０の小径部４０ａに前記連結リンク３４の他端部に形成された連結孔３４ａが嵌挿されている。また、固定軸３６の下端部には締め付けナット４４が螺入され、該ナット４４とスリーブ部材４０の下端部の間にはスプリングワッシャー４３と金属製の平ワッシャー４２が介装されている（ワッシャー４３，４２を第３のワッシャーとする）。さらに、スリーブ部材大径部４０ｂと連結リンク３４の上下方向の間及び前記金属製平ワッシャー４２と連結リンク３４の上下方向の間には合成樹脂製の平ワッシャー４１（第４のワッシャー）が介装されている。さらに、固定軸３６の下端外周部には切欠溝３６ｂが形成されており、この切欠溝３６ｂに係止片となるＥリング４５が圧入されている。
【００２７】
このように、固定軸３６と連結リンク３４とをスリーブ部材４０を介して連結し、さらにワッシャー４１，４２,４３を介在させてナット４４で締め付けることにより、固定軸３６は基台２に強固に固定される。また、固定軸３６の軸部と軸挿入孔２ｂとのクリアランスがなくなり、軸挿入孔２ｂの摩耗やそれに起因する異音の発生を防止することができ、固定軸３６に対する連結リンク３４の回転もスムースとなる。
【００２８】
ここでは固定軸３６と連結リンク３４を連結する場合を例にとって説明したが、前記偏心カム３３と連結リンク３４もこれと同じ構成で連結することができる。
【００２９】
首振りモーターの出力軸３２と偏心カム３３の固定は、図６に示すように、固定ネジ３３ａを偏心カム３３の外端側面部から出力軸３２と直交する方向に螺入している。このようにすると、出力軸３２の軸方向に固定ネジで固定する場合に比較して、首振りモーター回転時の出力軸３２の負荷が少なくなり、偏心カム３３の回転がスムースとなる。
【００３０】
上述のサーキュレーター１００のサーキュレーター本体１を首振り作動させるときは、該当するスイッチ２４を押すと、首振りモーターの出力軸３２に固定された偏心カム３３が偏心回転し、偏心カム３３に枢着された連結リンク３４の一端部が円運動をする。連結リンク３４の他端部は基台２に固定された固定軸３６に枢着されているため、この円運動によってサーキュレーター本体１は中心軸３５を中心に円運動の半径距離に応じて左右方向に旋回（首振り）することになる。
【００３１】
図７から図１１は、本発明の他の実施形態を示したものである。この実施形態のサーキュレーター２００は、首振り機構７０が上述の実施形態と相違しており、サーキュレーター本体１と、該サーキュレーター本体１を左右方向（水平方向）に所定角度で旋回可能（首振り可能）に搭載する基台２の基本的構成は同じである。ただしサーキュレーター本体１と基台２における首振り機構７０の取り付け部分の構成は相違している。なお、羽根１１と羽根回転モーターを装着したケース体１０、このケース体１０を上下方向に俯角調整可能に支持する支持体２０の基本的な構成は上述の実施形態と同じである。
【００３２】
図８及び図１１に示すように、支持体２０の底部２０ａの空洞内部に収納された首振り機構７０は、支持枠体７９に固定された固定板７６と、固定板７６の裏面部に固定された首振りモーター７５（図９、図１０を参照）と、この首振りモーター７５の出力軸７５ａに固定された駆動歯車７１と、固定板７６に軸支され駆動歯車７１と噛合する従動歯車７２と、一端部が従動歯車７２に枢着され、他端部が基台２に固定された枢軸部７７に枢着された弓形の連結リンク７３と、を備えている。また、固定板７６における支持体２０（サーキュレーター本体１）の旋回軸上には中心軸８０が固定されている。
【００３３】
一方、図９及び図１０に示すように、基台上面部２ａの支持体２０（サーキュレーター本体１）の旋回軸上には、前記中心軸８０の底面部を受ける座台部９０が形成されている。この座台部９０の下端部には挿杆部９１ａが突設され、該挿杆部９１ａには先端が円錐状に形成された支持杆９１が挿入され、その先端部により中心軸８０の底面中心部が支持されている。この支持杆９１はナット９３により高さ調整が可能となっている。
【００３４】
さらに、基台２の底部には図９及び図１０に示すように枢軸部７７が固定されている。枢軸部７７は、基台２の底面部に起立して固定された金属製の枢軸７７ａと、その軸部に上下可動に嵌挿されたアルミニウム製等のジョイント部材７７ｂとから成っている。ジョイント部材７７ｂの上部には球体部７７ｃが形成され、前記連結リンク７３の他端部に形成された連結孔７３ａは、この球体部７７ｃに嵌入されている。このような球体部７７ｃと連結リンク７３を連結することにより、連結リンク７３の他端部が作動時に上下動してもジョイント部材７７ｂが枢軸７７ａを上下方向に摺動するとともに、その変位を球体部７７ｃで吸収できる。
【００３５】
この実施形態によるときは、首振りモーター７５が駆動し、出力軸７５ａに固定された駆動歯車７１が回転すると、駆動歯車７１と噛合する従動歯車７２も回転する。これに伴い、従動歯車７２に枢着された連結リンク７３の一端部が円運動するが、連結リンク７３の他端部は基台２に固定された枢軸部７７に枢着されているため、この円運動によってサーキュレーター本体１は中心軸３５を中心とし円運動の半径距離に応じて左右方向に旋回（首振り）することになる。
【００３６】
前述の実施形態によれば、首振り機構が主に歯車と連結リンクで構成されているため、首振りモーターの負荷が分散して回転伝達効率も向上し、また連結部分の摩耗等による異音の発生を防ぐこともできる。
【符号の説明】
【００３７】
１    サーキュレーター本体
２    基台
１０  ケース体
２０  支持体
３０  首振り機構
３１  固定板
３２  首振りモーター出力軸
３３  偏心カム
３４  連結リンク
３５  中心軸
３６  固定軸
４０  スリーブ部材
４１  第４のワッシャー
４２,４３  第３のワッシャー
４４  ナット
５２  軸受部材
５６  Ｅリング（係止片）
５７,５８  第１のワッシャー
５９  第２のワッシャー
６０  固定ネジ
【要約】      （修正有）【課題】基台と、羽根を装着したケース本体を首振り可能に連結したサーキュレーターにおいて、その連結部を強固に連結する構成とし、首振りを長時間続けても連結部の摩耗や緩みが発生せず、これに伴う異音の発生を防止することによってスムースで静寂な首振りを実現できるサーキュレーターを提供する。【解決手段】基台２と、基台２の上部に首振り可能に設けられるサーキュレーター本体１とが中心軸３５を通して連結されている。中心軸３５は、サーキュレーター本体１に固定された固定板３１に固定されており、中心軸３５は基台２に設けられた軸受部材５２に挿入されている。軸受部材５２は、緊締手段により基台２に固着されている。緊締手段は、中心軸３５の下端部に係入された係止片５６と、係止片５６と座台部５３との間に介在させたワッシャー５７,５８である。【選択図】図４【図１】
0005486103.tif 000002
【図２】
0005486103.tif 000003
【図３】
0005486103.tif 000004
【図４】
0005486103.tif 000005
【図５】
0005486103.tif 000006
【図６】
0005486103.tif 000007
【図７】
0005486103.tif 000008
【図８】
0005486103.tif 000009
【図９】
0005486103.tif 000010
【図１０】
0005486103.tif 000011
【図１１】
0005486103.tif 000012